(57)【要約】【課題】低温環境下における液晶の応答速度の低下を緩和するとともに、加熱用電極への印加電圧に起因するシャッタ用電極への電気的影響を低減することが可能な液晶シャッタおよびカメラモジュールを提供する。【解決手段】本発明に係る液晶シャッタＸ１は、第１基板１０と、第２基板２０と、封止部材と、第１電極４０と、第２電極５０と、接地配線６０と、を備えている。第１基板１０は透光性を有する。第２基板２０は、透光性を有し、且つ、第１基板１０に対向配置される。封止部材は、第１基板１０と第２基板２０との間に液晶を封止するためのものである。第１電極４０は、第１基板１０上に位置する第１電極部４１と、第１基板１０あるいは第２基板２０上に位置する第２電極部４２とを有し、液晶ＬＣに電圧を印加するためのものである。第２電極５０は、第１基板１０上に位置し、液晶ＬＣに熱を供給するためのものである。接地配線６０は、第１電極４０の第１電極部４１と第２電極５０との間に位置している。【選択図】図２
2010152100.tif 000002
【特許請求の範囲】
【請求項１】
透光性を有する第１基板と、
透光性を有し、前記第１基板に対向配置される第２基板と、
前記第１基板と前記第２基板との間に液晶を封止するための封止部材と、
前記第１基板上に位置する第１電極部と前記第１基板あるいは前記第２基板上に位置する第２電極部とを有し、前記液晶に電圧を印加するための第１電極と、
前記第１基板上に位置し、前記液晶に熱を供給するための第２電極と、
前記第１電極の前記第１電極部と前記第２電極との間に位置する接地配線と、を備えることを特徴とする、液晶シャッタ。
【請求項２】
前記第２電極は、平面視において角部を有しており、
前記角部における前記第１電極と前記第２電極との離間距離は、該角部に隣接する部位における前記第１電極と前記第２電極との離間距離に比べて大きい、請求項１に記載の液晶シャッタ。
【請求項３】
前記第２電極は、平面視において角部を有しており、
前記接地配線は、前記第１電極と前記第２電極の前記角部との間に位置する部位における単位長さあたりの体積が該部位に隣接する部位における単位長さあたりの体積より大きい、請求項１または２に記載の液晶シャッタ。
【請求項４】
前記第１基板上に位置し且つ前記第１電極の前記第１電極部に対して電気的に接続される第１配線導体を備え、
前記第１配線導体の少なくとも一部は、平面視において、前記第２電極における第１部位と、前記第２電極における前記第１部位とは異なる第２部位との間に位置している、請求項１から３のいずれかに記載の液晶シャッタ。
【請求項５】
前記第１基板上に位置し且つ前記第１電極の前記第１電極部に対して電気的に接続される第１配線導体と、前記第２基板上に位置し且つ前記第１電極の前記第２電極部に対して電気的に接続される第２配線導体と、を備え、
前記第２配線導体の少なくとも一部は、前記第２電極に対向配置されている、請求項１から４のいずれかに記載の液晶シャッタ。
【請求項６】
前記第１電極における前記第１電極部と前記第２電極との間の離間距離は、前記第２電極と前記第１配線導体との離間距離と実質的に等しい、請求項４または５に記載の液晶シャッタ。
【請求項７】
光学レンズ系と、該光学レンズ系を通過した光が入射する請求項１から６のいずれかに記載の液晶シャッタと、を備えることを特徴とする、カメラモジュール。
【発明の詳細な説明】
【技術分野】
【０００１】
本発明は、例えば液晶に電圧を印加することにより透光と遮光との切り替えを行う液晶シャッタおよびカメラモジュールに関する。
【背景技術】
【０００２】
液晶シャッタとしては、光学レンズ系などと組み合わせてカメラモジュールとして機能するものがあり、例えば特許文献１に開示されている。
【０００３】
特許文献１に開示のカメラモジュールに採用されている液晶レンズでは、低温環境下における液晶の応答速度の低下を緩和するために、レンズ有効エリア外に液晶を直接加熱するヒータ電極が設けられている。
【特許文献１】特開２００６−２４３５７３号公報
【発明の開示】
【発明が解決しようとする課題】
【０００４】
通常、ヒータ電極に印加する電圧は、液晶に印加する電圧よりも非常に大きく、特に低温状態にある液晶を短時間で所定温度まで加熱する場合には、その傾向が強くなる。つまり、特許文献１の液晶レンズでは、レンズ有効エリアに位置するパターン電極に対してヒータ電極が隣接配置されているため、ヒータ電圧への印加電圧に起因してレンズ有効エリア内（シャッタ部内）に電気的影響が発生する場合があった。
【０００５】
本発明は、このような事情のもとで考え出されたものであって、低温環境下における液晶の応答速度の低下を緩和するとともに、加熱用電極への印加電圧に起因するシャッタ用電極への電気的影響を低減することが可能な液晶シャッタおよびカメラモジュールを提供する、ことを目的とする。
【課題を解決するための手段】
【０００６】
本発明に係る液晶シャッタは、第１基板と、第２基板と、封止部材と、第１電極と、第２電極と、接地配線と、を備えることを特徴とする。前記第１基板は透光性を有する。前記第２基板は、透光性を有し、且つ、前記第１基板に対向配置される。前記封止部材は、前記第１基板と前記第２基板との間に液晶を封止するためのものである。前記第１電極は、前記第１基板上に位置する第１電極部と、前記第１基板あるいは前記第２基板上に位置する第２電極部とを有し、前記液晶に電圧を印加するためのものである。前記第２電極は、前記第１基板上に位置し、前記液晶に熱を供給するためのものである。前記接地配線は、前記第１電極の前記第１電極部と前記第２電極との間に位置している。
【０００７】
本発明に係るカメラモジュールは、光学レンズ系と、該光学レンズ系を通過した光が入射する本発明に係る液晶シャッタと、を備えることを特徴とする。
【発明の効果】
【０００８】
本発明に係る液晶シャッタは、液晶に熱を供給するための第２電極を有しているため、低温環境化においても液晶を所定温度まで加熱することができ、ひいては低温環境下における液晶の応答速度の低下を緩和することができる。また、本液晶シャッタは、上述の第２電極と、液晶に電圧を印加するための第１電極の第１電極部との間に接地配線を有しているため、第１電極の第１電極部と第２電極との間における電気的干渉を低減することができる。
【０００９】
本発明に係るカメラモジュールは、本発明に係る液晶シャッタを備えているため、上述の本発明に係る液晶シャッタの有する効果と同様の効果を享受することができる。すなわち、本カメラモジュールは、低温環境下における液晶の応答速度の低下を緩和するとともに、第１電極への印加電圧が大きくなっても、第２電極の第１電極部に及ぼす電気的影響を低減するうえで好適である。
【発明を実施するための最良の形態】
【００１０】
図１は、本発明の第１の実施形態に係る液晶シャッタＸ１の概略構成を表す平面図である。図２は、図１に示す液晶シャッタＸ１を表す断面図であり、（ａ）は図１のＩＩａ−ＩＩａ線に沿った断面図であり、（ｂ）は図１のＩＩｂ−ＩＩｂ線に沿った断面図であり、（ｃ）は図１のＩＩｃ−ＩＩｃ線に沿った断面図である。
【００１１】
液晶シャッタＸ１は、液晶ＬＣ、第１基板１０と、第２基板２０と、封止部材３０と、シャッタ用電極４０と、加熱用電極５０と、接地配線６０と、配向膜７０，７１と、偏光素子８０，８１と、を備えている。なお、図３は、図１に示す液晶シャッタＸ１の第１基板１０側の構成を表す平面図であり、図４は、図１に示す液晶シャッタＸ１の第２基板２０側の構成を表す平面図である。
【００１２】
液晶ＬＣは、電気的、光学的、力学的、あるいは磁気的な異方性を示し、固体の規則性と液体の流動性を併せ持つ部材である。液晶ＬＣとしては、ネマティック液晶、コレステリック液晶、およびスメクティック液晶などが挙げられるが、中でも応答速度の観点からスメクティック液晶に強誘電性機能を持たせた強誘電性液晶が好ましい。液晶ＬＣの駆動方式としては、ＴＮ（Twisted Nematic）方式、ＶＡ（Virtical Alignment）方式、ＩＰＳ（In-Place-Switching）方式、およびＯＣＢ（Optically Compensated Bend）方式などが挙げられるが、中でも応答速度の観点からＯＣＢ方式が特に好ましい。
【００１３】
第１基板１０は、シャッタ用電極４０の一部、加熱用電極５０、接地配線６０、配向膜７０、および偏光素子８０を支持するとともに、液晶ＬＣを封止するのに寄与する部材である。第１基板１０は、その少なくとも一部が透光性を有する構造とされている。第１基板１０の構成材料としては、例えば透光性ガラスおよび透光性プラスチックが挙げられる。
【００１４】
第２基板２０は、シャッタ用電極４０の一部、配向膜７１、および偏光素子８１を支持するとともに、液晶ＬＣを封止するのに寄与する部材である。第２基板２０は、その少なくとも一部が透光性を有する構造とされている。第２基板２０の構成材料としては、例えば透光性ガラスおよび透光性プラスチックが挙げられる。
【００１５】
封止部材３０は、第１基板１０と第２基板２０との間に液晶ＬＣを封止するのに寄与するとともに、第１基板１０と第２基板２０とを所定間隔で離間した状態で接合する役割も担うものである。封止部材３０の構成材料としては、例えば絶縁性樹脂などの絶縁材料および導電性粒子を含有してなるシール樹脂などの導電性樹脂材料が挙げられる。本実施形態において封止部材３０は、主体部３１および蓋部３２を有している。主体部３１は、第１基板１０と第２基板２０との間における液晶ＬＣの封止、および、第１基板１０と第２基板２０との接合を行ううえで主体となる部位であり、第１基板１０と第２基板２０との間に液晶ＬＣを注入するための注入口３１ａを有している。蓋部３２は、注入口３１ａを塞ぐ役割を担うものである。
【００１６】
シャッタ用電極４０は、液晶ＬＣに所定の電圧を印加する役割を担う部材であり、透光性を有する構造とされている。シャッタ用電極４０の構成材料としては、例えばＩＴＯ（Indium Tin Oxide）および酸化錫などの透光性導電部材が挙げられる。
【００１７】
本実施形態においてシャッタ用電極４０は、第１電極部４１と、第２電極部４２と、第１配線導体４３と、第２配線導体４４とを有している。本実施形態において第１電極部４１は、第１基板１０の上面１０ａ側に位置しており、液晶シャッタとして有効に機能する範囲（以下、「シャッタ有効範囲」という）の略全体にわたって形成されている。本実施形態において第１電極部４１の平面視形状は、デットスペースを低減する観点から略矩形状とされているが、これには限られず、略円形状などでもよい。本実施形態において第２電極部４２は、第１電極部４１に対向するように第２基板２０の下面２０ａ側に位置しており、シャッタ有効範囲の略全体にわたって形成されている。本実施形態において第２電極部４２の平面視形状は、デットスペースを低減する観点から略矩形状とされているが、これには限られず、略円形状などでもよい。本実施形態において第１配線導体４３は、ＡＢ方向に沿って延びるように第１基板１０の上面１０ａ側に形成されており、一端部が封止部材３０により取り囲まれた領域外に位置し、他端部が第１電極部４１と連結されている。本実施形態において第２配線導体４４は、ＡＢ方向に沿って延びるように第２基板２０の下面２０ａ側に形成されており、一端部が封止部材３０により取り囲まれた領域外に位置し、他端部が第２電極部４２と連結されている。なお、図３および図４では、第１電極部４１と第１配線導体４３との境界、および、第２電極部４２と第２配線導体４４との境界を点線で示している。
【００１８】
加熱用電極５０は、液晶ＬＣに熱を供給する役割を担う部材である。本実施形態において加熱用電極５０は、平面視コ字状の角部を有する構成とされているが、このような構成には限られず、例えば平面視Ｕ字状のように実質的に角部の存在しない構成としてもよい。加熱用電極５０の構成材料としては、例えばＩＴＯ、クロム（Ｃｒ）、アルミニウム（Ａｌ）、ニッケル（Ｎｉ）、タンタル（Ｔａ）などが挙げられる。本実施形態において加熱用電極５０は、ＩＴＯとＣｒとＡｌとの積層構造とされているが、このような構成には限られず、単層構造としてもよい。
【００１９】
本実施形態において加熱用電極５０は、第１領域５１と、第２領域５２と、第３領域５３と、第４領域５４と、第５領域５５とを有している。また、本実施形態において加熱用電極５０は、第１基板１０の上面１０ａ側に位置しており、シャッタ用電極４０の第１電極部４１（シャッタ有効範囲）を取り囲むように形成されている。本実施形態において第１領域５１は、ＡＢ方向に沿って延びるように形成されており、一端部が封止部材３０により取り囲まれた領域外に位置し、他端部が第２領域５２と連結されている。この第１領域５１における一端部は、加熱用電極５０に対して電力を供給する際に端子として機能する。本実施形態において第２領域５２は、加熱用電極５０の角部に位置しており、一端部が第１領域５１と連結されており、他端部が第３領域５３と連結されている。本実施形態において第３領域５３は、ＣＤ方向に沿って延びるように形成されており、一端部が第２領域５２と連結されており、他端部が第４領域５４と連結されている。本実施形態において第４領域５４は、加熱用電極５０の角部に位置しており、一端部が第３領域５３と連結されており、他端部が第５領域５５と連結されている。本実施形態において第５領域５５は、ＡＢ方向に沿って延びるように形成されており、一端部が第４領域５４と連結されており、他端部が封止部材３０により取り囲まれた領域外に位置している。この第５領域５５における他端部は、加熱用電極５０に対して電力を供給する際に端子として機能する。なお、図３では、各領域５１，５２，５３，５４，５５の境界を点線で示している。
【００２０】
接地配線６０は、シャッタ用電極４０と加熱用電極５０との電気的干渉を低減する役割を担うものであり、シャッタ用電極４０の第１電極部４１と加熱用電極５０との間に位置している。本実施形態において接地配線６０は、平面視コ字状の角部を有する構成とされているが、このような構成には限られず、例えば平面視Ｕ字状のように実質的に角部の存在しない構成としてもよい。接地配線６０の構成材料としては、例えばＩＴＯ、クロム（Ｃｒ）、アルミニウム（Ａｌ）、ニッケル（Ｎｉ）、タンタル（Ｔａ）などが挙げられる。本実施形態において接地配線６０は、ＩＴＯとＣｒとＡｌとの積層構造とされているが、このような構成には限られず、単層構造としてもよい。
【００２１】
本実施形態において接地配線６０は、第１領域６１と、第２領域６２と、第３領域６３と、第４領域６４と、第５領域６５とを有している。また、本実施形態において接地配線６０は、第１基板１０の上面１０ａ側に位置しており、シャッタ用電極４０の第１電極部４１（シャッタ有効範囲）を取り囲むように形成されている。本実施形態において第１領域６１は、ＡＢ方向に沿って延びるように形成されており、一端部が封止部材３０により取り囲まれた領域外に位置し、他端部が第２領域６２と連結されている。この第１領域６１における一端部は、基準電位と連結する際に端子として機能する。また、本実施形態において第１領域６１は、封止部材３０と交差する部分を含み且つ主として第１配線導体４３に沿って延びる部分での配線幅が、シャッタ用電極４０の第１電極部４１に沿って延びる部分での配線幅に比べて大きくなるように設定されている。本実施形態において第２領域６２は、接地配線６０の角部に位置しており、一端部が第１領域６１と連結されており、他端部が第３領域６３と連結されている。本実施形態において第３領域６３は、ＣＤ方向に沿って延びるように形成されており、一端部が第２領域６２と連結されており、他端部が第４領域６４と連結されている。本実施形態において第４領域６４は、接地配線６０の角部に位置しており、一端部が第３領域６３と連結されており、他端部が第５領域６５と連結されている。本実施形態において第５領域６５は、ＡＢ方向に沿って延びるように形成されており、一端部が第４領域６４と連結されており、他端部が封止部材３０により取り囲まれた領域外に位置している。この第５領域６５における他端部は、基準電位と連結する際に端子として機能する。また、本実施形態において第５領域６５は、封止部材３０と交差する部分を含み且つ主として第１配線導体４３に沿って延びる部分での配線幅が、シャッタ用電極４０の第１電極部４１に沿って延びる部分での配線幅に比べて大きくなるように設定されている。なお、図４では、各領域６１，６２，６３，６４，６５の境界を点線で示している。
【００２２】
配向膜７０，７１は、マクロ的にランダムな方向を向く（規則性が小さい）液晶ＬＣの液晶分子を所定方向に配向させるためのものである。本実施形態において配向膜７０は、シャッタ用電極４０の第１電極部４１などが形成された第１基板１０の上面１０ａ側に形成されている。本実施形態において配向膜７１は、シャッタ用電極４０の第２電極部４２などが形成された第２基板２０の下面２０ａ側に形成されている。配向膜７０，７１の構成材料としては、ポリイミド樹脂などが挙げられる。また、配向膜７０，７１の厚さは、必要に応じて適宜設定すればよいが、例えば０．０２μｍ以上０．１μｍ以下に設定される。なお、本実施形態において配向膜７０，７１は、液晶ＬＣが存在する範囲全体に形成されているが、このような構成には限られず、少なくとも第１電極部４１および第２電極部４２の全体が被覆されるように形成されていればよい。
【００２３】
偏光素子８０，８１は、所定の振動方向の光を選択的に透過させる役割を担うものである。偏光素子８０，８１の構成材料としては、ヨウ素系材料などが挙げられる。本実施形態において偏光素子８０は、第１基板１０の下面１０ｂ側に形成されている。本実施形態において偏光素子８１は、第２基板２０の上面２０ｂ側に形成されている。また、本実施形態において偏光素子８０は、偏光素子８１の軸方向（この軸方向と平行な振動方向の光を選択的に透過させる）に対して実質的に直交するように配置されている。このような構成によると、偏光素子８０，８１を透過する光のシャッタ機能を発揮するうえで好適である。なお、偏光素子８０と第１基板１０との間や偏光素子８１と第２基板２０との間には、必要に応じて位相差フィルムなどを配置してもよい。
【００２４】
本実施形態に係る液晶シャッタＸ１は、液晶ＬＣに熱を供給するための加熱用電極５０を有しているため、低温環境化においても液晶ＬＣを所定温度まで加熱することができ、ひいては低温環境下における液晶ＬＣの応答速度の低下を緩和することができる。また、液晶シャッタＸ１は、加熱用電極５０と、液晶ＬＣに電圧を印加するためのシャッタ用電極４０の第１電極部４１との間に接地配線６０を有している。通常、シャッタ用電極４０には、所定周波数（例えば１００Ｈｚ）の電圧が印加されるのに対して、加熱用電極５０には、直流電圧が印加される。そのため、シャッタ用電極４０と加熱用電極５０との近傍に位置する液晶ＬＣには横電界が作用し易いが、液晶シャッタＸ１では、接地配線６０によりシャッタ用電極４０と加熱用電極５０との間における電気的干渉を充分に低減することができる。さらに、従来であれば電気的干渉を充分に低減するためには、シャッタ用電極４０と加熱用電極５０との離間距離を例えば１０００μｍ以上確保する必要があったが、液晶シャッタＸ１では、例えば１００μｍ以下にすることも可能となる。したがって、液晶シャッタＸ１では、加熱用電極５０によるシャッタ用電極４０の加熱をより効率的に行うことができるのに加え、小型化も図ることが可能となる。
【００２５】
液晶シャッタＸ１において加熱用電極５０は、平面視において角部となる各領域５２，５４を有している。また、液晶シャッタＸ１において加熱用電極５０の角部となる各領域５２，５４とシャッタ用電極４０との離間距離Ｄ１は、加熱用電極５０の各領域５１，５３，５５における該角部に隣接する部位とシャッタ用電極４０との離間距離Ｄ２に比べて大きい。このような構成によると、加熱用電極５０に電圧を印加して該加熱用電極５０を発熱させる場合に、相対的に高温になり易い角部（特に第２領域５２および第４領域５４におけるシャッタ用電極４０の第１電極部４１に近い側の部位）と、該角部に比べて低温になり易い各領域５１，５３，５５との温度差に起因して生じる第１電極部４１の加熱ムラを低減することができる。
【００２６】
液晶シャッタＸ１において第１配線導体４３の少なくとも一部は、平面視において、加熱用電極５０における第１領域５１と第５領域５５との間に位置している。このような構成によると、第１配線導体４３をより効果的に加熱することができるため、第１電極部４１と第１配線導体４３との間の温度差を低減することができる。したがって、液晶シャッタＸ１では、第１電極部４１から第１配線導体４３側への熱移動を抑制することができ、第１電極部４１の第１配線導体４３との連結部近傍における温度ムラを低減することができる。
【００２７】
液晶シャッタＸ１において第２配線導体４４の少なくとも一部は、加熱用電極５０に対向配置されている。このような構成によると、第２配線導体４４をより効果的に加熱することができるため、第２配線導体４４を介しての放熱を抑制することができる。
【００２８】
図５は、本発明の第２の実施形態に係る液晶シャッタＸ２の概略構成を表す平面図である。図６は、図５に示す液晶シャッタＸ２を表す断面図であり、（ａ）は図５のＶＩａ−ＶＩａ線に沿った断面図であり、（ｂ）は図５のＶＩｂ−ＶＩｂ線に沿った断面図であり、（ｃ）は図５のＶＩｃ−ＶＩｃ線に沿った断面図である。図７は、図５に示す液晶シャッタＸ２の第１基板１０側の構成を表す平面図であり、図８は、図５に示す液晶シャッタＸ２の第２基板２０側の構成を表す平面図である。液晶シャッタＸ２は、接地配線６０に代えて接地配線６０Ａを採用する点において液晶シャッタＸ１と異なる。液晶シャッタＸ２の他の構成については、液晶シャッタＸ１に関して上述したのと同様である。
【００２９】
接地配線６０Ａは、シャッタ用電極４０と加熱用電極５０との電気的干渉を低減する役割を担うものであり、シャッタ用電極４０の第１電極部４１と加熱用電極５０との間に位置している。本実施形態において接地配線６０Ａは、平面視コ字状の角部を有する構成とされている。接地配線６０Ａの構成材料としては、液晶シャッタＸ１の接地配線６０の構成材料と同様のものが挙げられる。本実施形態において接地配線６０Ａは、ＩＴＯとＣｒとＡｌとの積層構造とされているが、このような構成には限られず、単層構造としてもよい。
【００３０】
本実施形態において接地配線６０Ａは、第１領域６１Ａと、第２領域６２Ａと、第３領域６３Ａと、第４領域６４Ａと、第５領域６５Ａとを有している。また、本実施形態において接地配線６０Ａは、第１基板１０の上面１０ａ側に位置しており、シャッタ用電極４０の第１電極部４１（シャッタ有効範囲）を取り囲むように形成されている。本実施形態において第１領域６１Ａは、ＡＢ方向に沿って延びるように形成されており、一端部が封止部材３０により取り囲まれた領域外に位置し、他端部が第２領域６２Ａと連結されている。この第１領域６１Ａにおける一端部は、基準電位と連結する際に端子として機能する。また、本実施形態において第１領域６１Ａは、封止部材３０と交差する部分を含み且つ主として第１配線導体４３に沿って延びる部分での配線幅が、シャッタ用電極４０の第１電極部４１に沿って延びる部分での配線幅に比べて大きくなるように設定されている。本実施形態において第２領域６２Ａは、接地配線６０Ａの角部に位置しており、一端部が第１領域６１と連結されており、他端部が第３領域６３と連結されている。本実施形態において第３領域６３Ａは、ＣＤ方向に沿って延びるように形成されており、一端部が第２領域６２Ａと連結されており、他端部が第４領域６４Ａと連結されている。本実施形態において第４領域６４Ａは、接地配線６０Ａの角部に位置しており、一端部が第３領域６３Ａと連結されており、他端部が第５領域６５Ａと連結されている。本実施形態において第５領域６５Ａは、ＡＢ方向に沿って延びるように形成されており、一端部が第４領域６４Ａと連結されており、他端部が封止部材３０により取り囲まれた領域外に位置している。この第５領域６５Ａにおける他端部は、基準電位と連結する際に端子として機能する。また、本実施形態において第５領域６５Ａは、封止部材３０と交差する部分を含み且つ主として第１配線導体４３に沿って延びる部分での配線幅が、シャッタ用電極４０の第１電極部４１に沿って延びる部分での配線幅に比べて大きくなるように設定されている。なお、図８では、各領域６１Ａ，６２Ａ，６３Ａ，６４Ａ，６５Ａの境界を点線で示している。
【００３１】
本実施形態において第２領域６２Ａおよび第４領域６４Ａは、その他の領域に比べて、接地配線６０Ａの単位長さあたりの体積（配線厚さが実質的に均一であれば配線幅）が大きくなるように設定されている。また、本実施形態において、第１領域６１Ａの他端部および第３領域６３Ａの一端部における単位長さ当たりの体積（配線厚さが実質的に均一であれば配線幅）は、第２領域６２Ａに向けて漸次大きくなるように設定され、第３領域６３Ａの他端部および第５領域６５Ａの一端部における単位長さ当たりの体積（配線厚さが実質的に均一であれば配線幅）は、第４領域６４Ａに向けて漸次大きくなるように設定されている。
【００３２】
本実施形態に係る液晶シャッタＸ２では、接地配線６０Ａにおける第２領域６２Ａおよび第４領域６４Ａの配線幅が、その他の領域に比べて大きくなるように設定されている。上述の液晶シャッタＸ１においても、接地配線６０を設けたことにより、相対的に高温になり易い角部（特に第２領域５２および第４領域５４におけるシャッタ用電極４０の第１電極部４１に近い側の部位）と、該角部に比べて低温になり易い各領域５１，５３，５５との温度差に起因して生じる第１電極部４１の加熱ムラを低減することができるが、液晶シャッタＸ２では、その効果をより高めることが可能となる。
【００３３】
図９は、本発明の第３の実施形態に係る液晶シャッタＸ３の概略構成を表す平面図である。図１０は、図９に示す液晶シャッタＸ３を表す断面図であり、（ａ）は図９のＸａ−Ｘａ線に沿った断面図であり、（ｂ）は図９のＸｂ−Ｘｂ線に沿った断面図であり、（ｃ）は図９のＸｃ−Ｘｃ線に沿った断面図である。図１１は、図９に示す液晶シャッタＸ３の第１基板１０側の構成を表す平面図であり、図１２は、図９に示す液晶シャッタＸ３の第２基板２０側の構成を表す平面図である。液晶シャッタＸ３は、加熱用電極５０および接地用配線６０に代えて加熱用電極５０Ａおよび接地配線６０Ｂを採用する点において液晶シャッタＸ１と異なる。液晶シャッタＸ３の他の構成については、液晶シャッタＸ１に関して上述したのと同様である。
【００３４】
加熱用電極５０Ａは、液晶ＬＣに熱を供給する役割を担う部材である。本実施形態において加熱用電極５０Ａは、平面視コ字状の角部を有する構成とされているが、このような構成には限られず、例えば平面視Ｕ字状のように実質的に角部の存在しない構成としてもよい。加熱用電極５０Ａの構成材料としては、液晶シャッタＸ１の加熱用電極５０の構成材料と同様のものが挙げられる。本実施形態において加熱用電極５０Ａは、ＩＴＯとＣｒとＡｌとの積層構造とされているが、このような構成には限られず、単層構造としてもよい。
【００３５】
本実施形態において加熱用電極５０Ａは、第１領域５１Ａと、第２領域５２Ａと、第３領域５３Ａと、第４領域５４Ａと、第５領域５５Ａとを有している。また、本実施形態において加熱用電極５０Ａは、第１基板１０の上面１０ａ側に位置しており、シャッタ用電極４０の第１電極部４１（シャッタ有効範囲）を取り囲むように形成されている。本実施形態において第１領域５１Ａは、ＡＢ方向に沿って延びるように形成されており、一端部が封止部材３０により取り囲まれた領域外に位置し、他端部が第２領域５２Ａと連結されている。この第１領域５１Ａにおける一端部は、加熱用電極５０Ａに対して電力を供給する際に端子として機能する。本実施形態において第２領域５２Ａは、加熱用電極５０Ａの角部に位置しており、一端部が第１領域５１Ａと連結されており、他端部が第３領域５３Ａと連結されている。本実施形態において第３領域５３Ａは、ＣＤ方向に沿って延びるように形成されており、一端部が第２領域５２Ａと連結されており、他端部が第４領域５４Ａと連結されている。本実施形態において第４領域５４Ａは、加熱用電極５０Ａの角部に位置しており、一端部が第３領域５３Ａと連結されており、他端部が第５領域５５Ａと連結されている。本実施形態において第５領域５５Ａは、ＡＢ方向に沿って延びるように形成されており、一端部が第４領域５４Ａと連結されており、他端部が封止部材３０により取り囲まれた領域外に位置している。この第５領域５５Ａにおける他端部は、加熱用電極５０Ａに対して電力を供給する際に端子として機能する。なお、図１１では、各領域５１Ａ，５２Ａ，５３Ａ，５４Ａ，５５Ａの境界を点線で示している。
【００３６】
本実施形態において、シャッタ用電極４０の第１電極部４１と加熱用電極５０の第１領域５１Ａ（あるいは第３領域５３Ａ、第５領域５５Ａ）との間の離間距離Ｄ３は、該第１領域５１Ａ（あるいは第３領域５３Ａ、第５領域５５Ａ）と第１配線導体４３との離間距離Ｄ４と実質的に等しくなるように設定されている。
【００３７】
接地配線６０Ｂは、シャッタ用電極４０と加熱用電極５０Ａとの電気的干渉を低減する役割を担うものであり、シャッタ用電極４０の第１電極部４１と加熱用電極５０Ａとの間に位置している。本実施形態において接地配線６０Ｂは、平面視コ字状の角部を有する構成とされているが、このような構成には限られず、例えば平面視Ｕ字状のように実質的に角部の存在しない構成としてもよい。また、本実施形態において接地配線６０Ｂの配線幅は、全体にわたって実質的に等しくなるように設定されている。接地配線６０Ｂの構成材料としては、液晶シャッタＸ１の接地配線６０の構成材料と同様のものが挙げられる。本実施形態において接地配線６０Ｂは、ＩＴＯとＣｒとＡｌとの積層構造とされているが、このような構成には限られず、単層構造としてもよい。
【００３８】
本実施形態において接地配線６０Ｂは、第１領域６１Ｂと、第２領域６２Ｂと、第３領域６３Ｂと、第４領域６４Ｂと、第５領域６５Ｂとを有している。また、本実施形態において接地配線６０Ｂは、第１基板１０の上面１０ａ側に位置しており、シャッタ用電極４０の第１電極部４１（シャッタ有効範囲）を取り囲むように形成されている。本実施形態において第１領域６１Ｂは、ＡＢ方向に沿って延びるように形成されており、一端部が封止部材３０により取り囲まれた領域外に位置し、他端部が第２領域６２Ｂと連結されている。この第１領域６１Ｂにおける一端部は、基準電位と連結する際に端子として機能する。本実施形態において第２領域６２Ｂは、接地配線６０Ｂの角部に位置しており、一端部が第１領域６１Ｂと連結されており、他端部が第３領域６３Ｂと連結されている。本実施形態において第３領域６３Ｂは、ＣＤ方向に沿って延びるように形成されており、一端部が第２領域６２Ｂと連結されており、他端部が第４領域６４Ｂと連結されている。本実施形態において第４領域６４Ｂは、接地配線６０Ｂの角部に位置しており、一端部が第３領域６３Ｂと連結されており、他端部が第５領域６５Ｂと連結されている。本実施形態において第５領域６５Ｂは、ＡＢ方向に沿って延びるように形成されており、一端部が第４領域６４Ｂと連結されており、他端部が封止部材３０により取り囲まれた領域外に位置している。この第５領域６５Ｂにおける他端部は、基準電位と連結する際に端子として機能する。
【００３９】
本実施形態に係る液晶シャッタＸ３は、離間距離Ｄ３と離間距離Ｄ４とが実質的に等しくなるように設定されている。このような構成によると、第１電極部４１と第１配線導体４３との間の温度差を低減することができるため、第１電極部４１と第１配線導体４３との間における熱移動を抑制することができる。したがって、液晶シャッタＸ３では、第１電極部４１の第１配線導体４３との連結部近傍における温度ムラを低減することができる。なお、図１２では、各領域６１Ｂ，６２Ｂ，６３Ｂ，６４Ｂ，６５Ｂの境界を点線で示している。
【００４０】
図１３は、本発明の第４の実施形態に係る液晶シャッタＸ４の概略構成を表す平面図である。図１４は、図１３に示す液晶シャッタＸ４を表す断面図であり、（ａ）は図１３のＸＩＶａ−ＸＩＶａ線に沿った断面図であり、（ｂ）は図１３のＸＩＶｂ−ＸＩＶｂ線に沿った断面図であり、（ｃ）は図１３のＸＩＶｃ−ＸＩＶｃ線に沿った断面図である。図１５は、図１３に示す液晶シャッタＸ４の第１基板１０側の構成を表す平面図であり、図１６は、図１３に示す液晶シャッタＸ４の第２基板２０側の構成を表す平面図である。液晶シャッタＸ４は、シャッタ用電極４０に代えてシャッタ用電極４０Ａを採用する点において液晶シャッタＸ１と異なる。液晶シャッタＸ４の他の構成については、液晶シャッタＸ１に関して上述したのと同様である。
【００４１】
シャッタ用電極４０Ａは、液晶ＬＣに所定の電圧を印加する役割を担う部材であり、透光性を有する構造とされている。シャッタ用電極４０Ａの構成材料としては、上述の液晶シャッタＸ１のシャッタ用電極４０の構成材料と同様のものが挙げられる。
【００４２】
本実施形態においてシャッタ用電極４０Ａは、第１電極部４１と、第２電極部４２と、第１配線導体４３と、第２配線導体４４Ａとを有している。本実施形態において第２配線導体４４Ａは、図１３〜図１６に示すように、第１配線導体４３と同じ方向側に重ならないように引き出されている。また、本実施形態において第２配線導体４４Ａは、封止部材３０として導電性粒子を含有するものを採用することにより、第２基板２０側から第１基板１０側に引き回されている。
【００４３】
本実施形態に係る液晶シャッタＸ４では、更なる小型化を図ることが可能となる。
【００４４】
図１７は、本発明の第５の実施形態に係る液晶シャッタＸ５の概略構成を表す平面図である。図１８は、図１７に示す液晶シャッタＸ５を表す断面図であり、（ａ）は図１７のＸＶＩＩＩａ−ＸＶＩＩＩａ線に沿った断面図であり、（ｂ）は図１７のＸＶＩＩＩｂ−ＸＶＩＩＩｂ線に沿った断面図であり、（ｃ）は図１７のＸＶＩＩＩｃ−ＸＶＩＩＩｃ線に沿った断面図である。図１９は、図１７に示す液晶シャッタＸ５の第１基板１０側の構成を表す平面図であり、図２０は、図１７に示す液晶シャッタＸ５の第２基板２０側の構成を表す平面図である。液晶シャッタＸ５は、シャッタ用電極４０および接地配線６０に代えてシャッタ用電極４０Ｂおよび接地配線６０Ｃを採用する点において液晶シャッタＸ１と異なる。液晶シャッタＸ５の他の構成については、液晶シャッタＸ１に関して上述したのと同様である。
【００４５】
シャッタ用電極４０Ｂは、液晶ＬＣに所定の電圧を印加する役割を担う部材であり、透光性を有する構造とされている。シャッタ用電極４０Ｂの構成材料としては、上述の液晶シャッタＸ１のシャッタ用電極４０の構成材料と同様のものが挙げられる。
【００４６】
本実施形態においてシャッタ用電極４０Ｂは、第１電極部４１Ｂと、第２電極部４２Ｂと、第１配線導体４３Ｂと、第２配線導体４４Ｂとを有している。本実施形態において第１電極部４１Ｂは、第１基板１０の上面１０ａ側に位置しており、シャッタ有効範囲内で櫛歯状に形成されている。本実施形態において第２電極部４２は、第１基板１０の上面１０ａ側に位置しており、シャッタ有効範囲内で櫛歯状に形成されている。本実施形態において第１配線導体４３Ｂは、ＡＢ方向に沿って延びるように第１基板１０の上面１０ａ側に形成されており、一端部が封止部材３０により取り囲まれた領域外に位置し、他端部が第１電極部４１Ｂと連結されている。本実施形態において第２配線導体４４Ｂは、ＡＢ方向に沿って延びるように第１基板２０の上面１０ａ側に形成されており、一端部が封止部材３０により取り囲まれた領域外に位置し、他端部が第２電極部４２Ｂと連結されている。なお、図１９および図２０では、第１電極部４１Ｂと第１配線導体４３Ｂとの境界、および、第２電極部４２Ｂと第２配線導体４４Ｂとの境界を点線で示している。
【００４７】
接地配線６０Ｃは、シャッタ用電極４０Ｂと加熱用電極５０との電気的干渉を低減する役割を担うものであり、シャッタ用電極４０Ｂの第１電極部４１Ｂと加熱用電極５０との間に位置している。本実施形態において接地配線６０Ｃは、平面視コ字状の角部を有する構成とされているが、このような構成には限られず、例えば平面視Ｕ字状のように実質的に角部の存在しない構成としてもよい。接地配線６０Ｃの構成材料としては、液晶シャッタＸ１の接地配線６０の構成材料と同様のものが挙げられる。本実施形態において接地配線６０Ｃは、ＩＴＯとＣｒとＡｌとの積層構造とされているが、このような構成には限られず、単層構造としてもよい。
【００４８】
本実施形態において接地配線６０Ｃは、第１領域６１Ｃと、第２領域６２Ｃと、第３領域６３Ｃと、第４領域６４Ｃと、第５領域６５Ｃとを有している。また、本実施形態において接地配線６０Ｃは、第１基板１０の上面１０ａ側に位置しており、シャッタ用電極４０Ｂの第１電極部４１Ｂ（シャッタ有効範囲）を取り囲むように形成されている。本実施形態において第１領域６１Ｃは、ＡＢ方向に沿って延びるように形成されており、一端部が封止部材３０により取り囲まれた領域外に位置し、他端部が第２領域６２Ｃと連結されている。この第１領域６１Ｃにおける一端部は、基準電位と連結する際に端子として機能する。本実施形態において第２領域６２Ｃは、接地配線６０Ｃの角部に位置しており、一端部が第１領域６１Ｃと連結されており、他端部が第３領域６３Ｃと連結されている。本実施形態において第３領域６３Ｃは、ＣＤ方向に沿って延びるように形成されており、一端部が第２領域６２Ｃと連結されており、他端部が第４領域６４Ｃと連結されている。本実施形態において第４領域６４Ｃは、接地配線６０Ｃの角部に位置しており、一端部が第３領域６３Ｃと連結されており、他端部が第５領域６５Ｃと連結されている。本実施形態において第５領域６５Ｃは、ＡＢ方向に沿って延びるように形成されており、一端部が第４領域６４Ｃと連結されており、他端部が封止部材３０により取り囲まれた領域外に位置している。この第５領域６５Ｃにおける他端部は、基準電位と連結する際に端子として機能する。なお、図２０では、各領域６１Ｃ，６２Ｃ，６３Ｃ，６４Ｃ，６５Ｃの境界を点線で示している。
【００４９】
図２１は、液晶シャッタＸ１を備えるカメラモジュールＹの概略構成を表す断面図である。カメラモジュールＹは、液晶シャッタＸ１と、光学レンズ系９０と、受光素子９１と、筐体９２とを備えている。なお、本実施形態に係るカメラモジュールＹでは、液晶シャッタＸ１を用いて説明するが、液晶シャッタＸ１に代えて液晶シャッタＸ２，Ｘ３，Ｘ４，Ｘ５を採用してもよい。
【００５０】
光学レンズ系９０は、被写体からの光を受光素子９１に集光する役割を担うものである。本実施形態において光学レンズ系９０は、１つのレンズにより構成されているが、透過する光の収差を補正する目的などにより更に他のレンズを追加して複数のレンズによる構成としてもよい。光学レンズ系９０を構成するレンズの構成材料としては、例えば、ガラスと、アクリル樹脂およびポリカーボネート樹脂などの透明樹脂とが挙げられる。
【００５１】
受光素子９１は、光学レンズ系９０により集光された光を電気信号などに変換する役割を担うものである。受光素子９１としては、例えばＣＣＤイメージセンサおよびＣＭＯＳイメージセンサなどの光電変換素子が挙げられる。
【００５２】
筐体９２は、液晶シャッタＸ１、光学レンズ系９０、および受光素子９１を収容する役割を担うものである。筐体９２の構成材料としては、例えばポリカーボネート樹脂などの樹脂と、Ａｌなどの金属と、ステンレス（ＳＵＳ）などの合金とが挙げられる。
【００５３】
本発明に係るカメラモジュールＹは、液晶シャッタＸ１を備えていることから、上述した液晶シャッタＸ１と同様の効果を享受することができる。
【００５４】
以上、本発明の具体的な実施形態を示したが、本発明はこれに限定されるものではなく、発明の思想から逸脱しない範囲内で種々の変更が可能である。
【図面の簡単な説明】
【００５５】
【図１】本発明の第１の実施形態に係る液晶シャッタの概略構成を表す平面図である。
【図２】図１に示す液晶シャッタを表す断面図であり、（ａ）は図１のＩＩａ−ＩＩａ線に沿った断面図であり、（ｂ）は図１のＩＩｂ−ＩＩｂ線に沿った断面図であり、（ｃ）は図１のＩＩｃ−ＩＩｃ線に沿った断面図である。
【図３】図１に示す液晶シャッタの第１基板側の構成を表す平面図である。
【図４】図１に示す液晶シャッタの第２基板側の構成を表す平面図である。
【図５】本発明の第２の実施形態に係る液晶シャッタの概略構成を表す平面図である。
【図６】図５に示す液晶シャッタを表す断面図であり、（ａ）は図５のＶＩａ−ＶＩａ線に沿った断面図であり、（ｂ）は図５のＶＩｂ−ＶＩｂ線に沿った断面図であり、（ｃ）は図５のＶＩｃ−ＶＩｃ線に沿った断面図である。
【図７】図５に示す液晶シャッタの第１基板側の構成を表す平面図である。
【図８】図５に示す液晶シャッタの第２基板側の構成を表す平面図である。
【図９】本発明の第３の実施形態に係る液晶シャッタの概略構成を表す平面図である。
【図１０】図９に示す液晶シャッタを表す断面図であり、（ａ）は図９のＸａ−Ｘａ線に沿った断面図であり、（ｂ）は図９のＸｂ−Ｘｂ線に沿った断面図であり、（ｃ）は図９のＸｃ−Ｘｃ線に沿った断面図である。
【図１１】図９に示す液晶シャッタの第１基板側の構成を表す平面図である。
【図１２】図９に示す液晶シャッタの第２基板側の構成を表す平面図である。
【図１３】本発明の第４の実施形態に係る液晶シャッタの概略構成を表す平面図である。
【図１４】図１３に示す液晶シャッタを表す断面図であり、（ａ）は図１３のＸＩＶａ−ＸＩＶａ線に沿った断面図であり、（ｂ）は図１３のＸＩＶｂ−ＸＩＶｂ線に沿った断面図であり、（ｃ）は図１３のＸＩＶｃ−ＸＩＶｃ線に沿った断面図である。
【図１５】図１３に示す液晶シャッタの第１基板側の構成を表す平面図である。
【図１６】図１３に示す液晶シャッタの第２基板側の構成を表す平面図である。
【図１７】本発明の第５の実施形態に係る液晶シャッタの概略構成を表す平面図である。
【図１８】図１７に示す液晶シャッタを表す断面図であり、（ａ）は図１７のＸＶＩＩＩａ−ＸＶＩＩＩａ線に沿った断面図であり、（ｂ）は図１７のＸＶＩＩＩｂ−ＸＶＩＩＩｂ線に沿った断面図であり、（ｃ）は図１７のＸＶＩＩＩｃ−ＸＶＩＩＩｃ線に沿った断面図である。
【図１９】図１７に示す液晶シャッタの第１基板側の構成を表す平面図である。
【図２０】図１７に示す液晶シャッタの第２基板側の構成を表す平面図である。
【図２１】図１に示す液晶シャッタを備えるカメラモジュールの概略構成を表す断面図である。
【符号の説明】
【００５６】
Ｘ１，Ｘ２，Ｘ３，Ｘ４，Ｘ５    液晶シャッタ
Ｙ    カメラモジュール
ＬＣ    液晶
１０    第１基板
２０    第２基板
３０    封止部材
４０，４０Ａ，４０Ｂ    シャッタ用電極（第１電極）
４１，４１Ｂ    第１電極部
４２，４２Ｂ    第２電極部
４３，４３Ｂ    第１配線導体
４４，４４Ａ，４４Ｂ    第２配線導体
５０，５０Ａ    加熱用電極（第２電極）
６０，６０Ａ，６０Ｂ，６０Ｃ    接地配線
７０，７１    配向膜
８０，８１    偏光素子
９０    光学レンズ系
９１    受光素子
９２    筐体
【図１】
2010152100.tif 000003
【図２】
2010152100.tif 000004
【図３】
2010152100.tif 000005
【図４】
2010152100.tif 000006
【図５】
2010152100.tif 000007
【図６】
2010152100.tif 000008
【図７】
2010152100.tif 000009
【図８】
2010152100.tif 000010
【図９】
2010152100.tif 000011
【図１０】
2010152100.tif 000012
【図１１】
2010152100.tif 000013
【図１２】
2010152100.tif 000014
【図１３】
2010152100.tif 000015
【図１４】
2010152100.tif 000016
【図１５】
2010152100.tif 000017
【図１６】
2010152100.tif 000018
【図１７】
2010152100.tif 000019
【図１８】
2010152100.tif 000020
【図１９】
2010152100.tif 000021
【図２０】
2010152100.tif 000022
【図２１】
2010152100.tif 000023